(57)【要約】【課題】自動給水式の給湯装置において、給湯口を湯の制御水位に近づけても、沸騰気泡が給湯口に回り込みが少なく電動ポンプへの泡かみ現象を少なくでき、給湯速度の低下が少ない沸騰式給湯装置を提供することを目的とする沸騰式給湯装置を提供することを目的とする。【解決手段】タンク１と、このタンク１内下部へ自動給水する電磁弁４を有した給水手段２を設ける。タンク内の水を加熱し沸騰させる加熱手段７を設ける。タンク内の水位を検知する水位検知センサ１０を設ける。水位検知センサ１０ににより制御水位１５を設定する。制御水位１５より若干下方のタンク１側面に給湯口１６を設ける。この給湯口１６を通じて給湯する電動ポンプ１７を設ける。タンク１内壁に給湯口１６に対峙し制御水位１５より突出した突出部２０および、制御水位より下方に湯流通孔２１を有する泡遮蔽板１９を設ける。制御水位の上面に分布する沸騰気泡は泡遮蔽板の突出部により給湯口１６への回り込みが抑制され、電動ポンプ１７への気泡のからみが少なくなり、、湯の給湯速度が低下することがない。【選択図】          図１
2004183990.tif 000002
【特許請求の範囲】
【請求項１】
タンクと、このタンク内下部へ自動給水する電磁弁を有した給水手段と、このタンク内の水を加熱し沸騰させる加熱手段と、前記タンク内の水位を検知する水位検知センサと、この水位検知センサにより設定された制御水位と、この制御水位より若干下方の前記タンク側面に設けられた給湯口と、この給湯口を通じて給湯する電動ポンプとを備え、前記タンク内壁に前記給湯口に対峙し前記制御水位より突出して設けられた突出部を有し、且つ制御水位より下方に湯流通孔を有する泡遮蔽板とを設けたことを特徴とする沸騰式給湯装置。
【請求項２】
前記泡遮蔽板の湯流通孔は、前記給湯口から離れた位置に設けられたことを特徴とする請求項１記載の沸騰式給湯装置。
【発明の詳細な説明】
【０００１】
本発明は、沸騰中の湯を電動ポンプを駆動して出湯させる沸騰式給湯装置に関する。
【０００２】
【従来技術】
従来、湯を沸騰させカルキ等を抜き美味しい高温の湯として出湯させる電気ポットが存在していた。そして、この電気ポットの使用に際しては沸騰中に電動ポンプを駆動して湯を出湯させるようにしていた。このように沸騰中に電動ポンプを駆動して湯を出湯させる場合、加熱手段から発生する沸騰気泡が湯とともに電動ポンプ内に多量に流入し、電動ポンプを駆動させても流入した気泡を排出しきれず電動ポンプ内に滞留するため湯の出湯量を低下させ、その結果、湯の給湯速度が低下し、さらには出湯停止に至るという、すなわち、泡かみ現象を生じる問題点を有していた。
【０００３】
そこで、このような電動ポンプによる出湯時の泡かみ現象を防止するものとして特開２００２−１０２０６３号に示される電気湯沸かし器が存在した。すなわち、この電気湯沸かし器は、沸騰気泡の量の比較的少ない容器の底部に湯の排出口を設け、この湯の排出口と加熱手段との間に湯は導通可能で気泡を通過させない例えば、樹脂あるいは金属から成るメッシユ状、格子状、櫛状などの形状で構成された透過隔離部材を設けて沸騰気泡の流入を抑制するものである。
【０００４】
ところで、このような電気湯沸かし器は、水を予め容器に収納しておき湯を沸かし電動ポンプで汲み上げて排出するものであり、大量に湯を使用する場合に湯量が不足するため複数個の電気湯沸かし器を使用して対応するポット式のものである。そして、このポット式電気湯沸かし器は、容器の底面の裏面に加熱手段と、容器底部に湯を排出する排出口を設け、この湯の排出口と加熱手段との間に透過隔離部材を設けて電動ポンプへの沸騰気泡の流入を抑制するようにしたものである。
【０００５】
しかし、このように容器底部に設けた湯の排出口から電動ポンプを駆動して湯を排出するものは、容器の底面の裏面に設けた加熱手段から発生する沸騰気泡の殆どは容器の上方へ上昇してしまい、容器底部に設けた湯の排出口に流入する沸騰気泡はわずかなものである。したがって、透過隔離部材はメッシユ状、格子状、櫛状などの目の粗い形状で充分であり、この程度の透過隔離部材で電動ポンプへの沸騰気泡の流入は抑制できるものである。
【０００６】
【発明が解決しようとする課題】
これに対して、大量の湯を一度に使用する場合に適した例えば、水道水と直結した自動給水式の給湯装置にあっては、タンク内への給水は、沸き上げられた沸騰湯を冷却させないためタンクの底部から行い、また、沸き上げられた湯の排出は、タンク内上部側には必ず沸騰湯が存在することからタンク上部に給湯口を設け、このタンク上部に設けられた給湯口から電動ポンプを駆動して給湯を行う方式が一般的である。しかし、加熱手段より発生した沸騰気泡は上方へ移動しお湯の制御水位の上面に広がる形で分布することから、給湯口はあまりタンクの上方に設けられない事情がある。
【０００７】
本発明は、このような点に鑑みなされたもので、自動給水式の給湯装置において、給湯口を湯の制御水位に近づけても、沸騰気泡が給湯口に回り込みが少なく電動ポンプへの泡かみ現象を少なくでき、給湯速度の低下が少ない沸騰式給湯装置を提供することを目的とする。
【０００８】
【課題を解決するための手段】
請求項１記載の沸騰式給湯装置は、タンクと、このタンク内下部へ自動給水する電磁弁を有した給水手段と、このタンク内の水を加熱し沸騰させる加熱手段と、前記タンク内の水位を検知する水位検知センサと、この水位検知センサにより設定された制御水位と、この制御水位より若干下方の前記タンク側面に設けられた給湯口と、この給湯口を通じて給湯する電動ポンプとを備え、前記タンク内壁に前記給湯口に対峙し前記制御水位より突出して設けられた突出部を有し、且つ制御水位より下方に湯流通孔を有する泡遮蔽板とを設けたものである。
【０００９】
そして、この構成により、制御水位の上面に分布する沸騰気泡は泡遮蔽板の突出部により給湯口への回り込みが抑制されるとともに、湯は沸騰気泡の少ない制御水位より下方の湯流通孔から給湯口に流入し電動ポンプへ引き込まれるため、沸騰中であっても電動ポンプへの気泡のからみが少なくなり、給湯速度が実用上支障のない速さで行える。
【００１０】
請求項２記載の沸騰式給湯装置は、請求項１記載の沸騰式給湯装置において、泡遮蔽板の湯流通孔は、前記給湯口から離れた位置に設けたものである。
【００１１】
そして、この構成により、沸騰気泡の電動ポンプへの流入はさらに少なくなる。
【００１２】
【発明の実施の形態】
以下、本発明の一実施の形態を図面を参照して説明する。
【００１３】
【実施例】
図１乃至図３は沸騰式給湯装置の構成図を示すものである。１はタンクで、このタンク１には水道水を自動給水する給水手段２が設けられている。この給水手段２は給水パイプ３と、この給水パイプ３の入り口側に電磁弁４を有して構成されている。そして、この給水パイプ３は断水時などタンク１内の湯水の逆流を防止するためタンク１の上方に先端を開放している。５は導水板で、この導水板５は断面く字状に形成されタンク１内壁との間に導水通路６が形成されている。そして、この導水通路６を介して給水パイプ３の先端より給水された水道水をタンク１の下部に導くようになっている。７は加熱手段で、この加熱手段７は例えばシーズ線等からなるヒータ８を有し、ヒータフランジ９を介してタンク１の下方に取り付けられタンク１内の水を加熱沸騰させるものである。
【００１４】
１０は水位センサで、この水位センサ１０は棒状の支柱１１の上端部をタンク１の上部を閉塞する蓋１２に固定され、中間部にストッパ１３と、下方に支柱１１に対して上下動自在に設けられ図示しないスイッチを動作させる浮子１４を有している。そして、ストッパ１３と浮子１４との位置関係から制御水位１５が設定されるようになっている。
【００１５】
１６は給湯口で、この給湯口１６は制御水位１５より若干下方のタンク１の側壁に設けられ、この給湯口１６に給湯口１６を通じてタンク１内の沸騰湯を給湯する電動ポンプ１７が接続され、この電動ポンプ１７に給湯パイプ１８が取り付けられている。１９は泡遮蔽板で、この泡遮蔽板１９は断面コの字状に形成され上部に制御水位１５より突出した突出部２０と、制御水位１５より下方で給湯口１６より離れた位置に複数個の湯流通孔２１を有し、給湯口１６に対峙してタンク１内壁に取り付けられている。
【００１６】
次に、本実施の形態の作用を説明する。
【００１７】
電磁弁４が開かれ給水パイプ３を通じて水道水が自動給水される。自動給水された水道水は導水通路６の上部から導入されタンク１内下方からタンク１内に給水される。そして、この給水により浮子１４が徐々にタンク１内を上昇しストッパ１３の位置で止まり、図示しないスイッチを動作させ電磁弁４を動作させて給水が停止され制御水位１５が設定される。そして、ヒータ８に通電されタンク１内の水が徐々に加熱され沸騰に至る。
【００１８】
そして、この沸騰中に給湯指示がなされると、電動ポンプ１７が駆動され沸騰湯は泡遮蔽板１９の板状部で阻止されながら複数個の湯流通孔２１を通って給湯口１６に至りポンプ１７内に引き込まれ給湯パイプ１８を介して排出される。一方、ヒータ８より発生した沸騰気泡はタンク１の上方に上昇し制御水位１５の上面全体に広がる形で分布することになる。しかし、この沸騰気泡は湯流通孔２１が制御水位１５よりも下方に設けられ、しかも給湯口１６よりも離れた位置に設けられていることにより湯流通孔２１に導入され量はごくわずかになる。また、制御水位１５の上面全体に広がる形で分布している沸騰気泡は泡遮蔽板１９の突出部２０により回り込みが阻止され給湯口１６への沸騰気泡の流入が少なくなる。したがって、電動ポンプ１７への気泡のからみが少なくなり、沸騰中であっても給湯量が低下することがなく給湯速度が実用上支障のない速さで行える。
【００１９】
なお、水道水をタンク１下部へ導く手段として導水板５を設け、この導水板５とタンク１内壁との間に導水通路６を形成したが、直接下部給水としてもよい。この場合、逆止弁が必要となる。また、自動給水を水道直結方式にて説明したが、予備加熱用の温水器と組み合わせて一体型とし、温水器の湯を電磁弁にてタンク１下部へ給水するようにしてもよい。
【００２０】
【発明の効果】
請求項１記載の沸騰式給湯装置によれば、制御水位の上面に分布する沸騰気泡は泡遮蔽板の突出部により給湯口への回り込みが抑制されるとともに、湯は沸騰気泡の少ない制御水位より下方の湯流通孔から給湯口に流入し電動ポンプへ引き込まれるため、電動ポンプへの気泡のからみが少なくなり、湯の給湯速度が低下することがなく実使用上支障のない速さで行える。
【００２１】
請求項２記載の沸騰式給湯装置によれば、沸騰気泡の電動ポンプへの流入はさらに少なくなる。
【図面の簡単な説明】
【図１】本発明の沸騰式給湯装置の一実施形態を示す正面から見た断面図である。
【図２】同上、沸騰式給湯装置の上面から見た断面図である。
【図３】同上、沸騰式給湯装置の側面から見た断面図である。
【符号の説明】
１    タンク
２    給水手段
３    給水パイプ
４    電磁弁
７    加熱手段
８    ヒータ
１０    水位検知センサ
１４    浮子
１５    制御水位
１６    給湯口
１７    電動ポンプ
１８    給湯パイプ
１９    泡遮蔽板
２０    突出部
２１    湯流通孔
【図１】
2004183990.tif 000003
【図２】
2004183990.tif 000004
【図３】
2004183990.tif 000005